(57)【要約】【課題】簡易な構成にて１つの端子を入力と出力に切り替えて使用できる入出力回路を実現することを目的とする。【解決手段】出力系信号処理回路１をトランジスタ２、コンデンサ３、インピーダンス整合用抵抗４を介して入出力兼用端子５に接続し、その入出力兼用端子５にコンデンサ８、トランジスタ９を介して入力系信号処理回路１０を接続している。そして、トランジスタ２とコンデンサ３との間に、入出力切り替えの信号により開閉するスイッチ手段としてのトランジスタ６の一端を接続するとともに、他端を接地する。この構成により、トランジスタ６の開閉を切り替えることにより、入出力兼用端子５を入力端子または出力端子として使用することができる。【選択図】　図１
2004048431.tif 000002
【特許請求の範囲】
【請求項１】
出力系信号処理回路を出力バッファの入力に接続するとともに、この出力バッファの出力を第１のコンデンサとインピーダンス整合用抵抗を介して入出力兼用端子に接続し、前記入出力兼用端子に第２のコンデンサを介して入力バッファを接続するとともに、入力バッファの出力を入力系信号処理回路に接続し、かつ前記第１のコンデンサとインピーダンス整合用抵抗との間に、入出力切り替えの信号により開閉するスイッチ手段の一端を接続するとともに、他端を接地したことを特徴とする映像信号の入出力回路。
【発明の詳細な説明】
【０００１】
【発明の属する技術分野】
本発明は、テレビジョン受像機やビデオレコーダー等に用いられる映像信号の入出力回路に関するものである。
【０００２】
【従来の技術】
従来より小型映像機器などで端子配置の関係上、入力端子と出力端子を兼用する機器がある。この入力端子と出力端子を兼用するための回路構成としては特開平０７−３８８１７号に記載されたものが知られている。
【０００３】
ここで、従来の入出力回路について説明を行う。図２は従来構成による入出力回路の回路構成を示すものである。図において、２１は信号切り替えなど出力用の信号処理を行う出力系信号処理回路、２２は入力された映像信号の色復調や加工などを行う入力系信号処理回路、２３は出力系信号処理回路２１からの信号を切り離し固定電圧を出力バッファに送れるようにするスイッチ、２４は出力駆動のための出力バッファ、２５は出力時には直列抵抗として、また入力時には終端抵抗として動作するインピーダンス整合用抵抗、２６は外部機器を接続する入出力兼用端子、２７は入力信号を後段の入力系信号処理回路２２に伝えるための入力バッファ、２８は入出力兼用端子からの直流成分を遮断するコンデンサである。
【０００４】
この図２の回路において、入出力兼用端子２６を出力として使用する場合、スイッチ２３はａ側を選択する。出力系信号処理回路２１からの信号は出力バッファ２４により十分低いインピーダンスの出力信号となり、インピーダンス整合用抵抗２５、コンデンサ２８を経由して入出力兼用端子２６より規定の出力インピーダンスを持つ信号が出力される。
【０００５】
次に、入出力兼用端子２６を入力として使用する場合、スイッチ２３はｂ側を選択する。この場合、出力バッファ２４の出力は低インピーダンスの固定電圧となる。これは入出力兼用端子２６から見ると、インピーダンス整合用抵抗２５を介して終端されているのと同等になる。入力された信号はコンデンサ２８、入力バッファ２７を介して入力系信号処理回路２２に入力される。
【０００６】
【発明が解決しようとする課題】
ところで、実際に商品として回路を構成した場合、出力系信号処理回路としては映像切換用ＩＣを使用する場合が多いが、そのＩＣに出力ミュート機能があれば、スイッチ２３は不要となり、安価に回路を構成することができる。しかし出力ミュートの性能が不十分で、ストロークや雑音が出る場合、単純にスイッチ２３を削除することはできない。このような場合、スイッチ２３を使用すれば正常な動作はするが、安価に構成できないという課題があった。
【０００７】
本発明はこのような課題を解決し、安価に入出力回路を構成することを目的とする。
【０００８】
【課題を解決するための手段】
この課題を解決するために本発明は、出力系信号処理回路を出力バッファの入力に接続するとともに、この出力バッファの出力を第１のコンデンサとインピーダンス整合用抵抗を介して入出力兼用端子に接続し、前記入出力兼用端子に第２のコンデンサを介して入力バッファを接続するとともに、入力バッファの出力を入力系信号処理回路に接続し、かつ前記第１のコンデンサとインピーダンス整合用抵抗との間に、入出力切り替えの信号により開閉するスイッチ手段の一端を接続するとともに、他端を接地したものである。
【０００９】
この本発明により、より安価な構成にて入出力回路を実現することができ、またスイッチ手段の切り替えにより入出力兼用端子を入力端子または出力端子として使用することができる。
【００１０】
【発明の実施の形態】
以下に、本発明の一実施の形態による入出力回路について、図１を参照しながら説明する。
【００１１】
図１において、１は出力する信号を処理する出力系信号処理回路、２は出力バッファとしての機能を持つエミッタフォロワのトランジスタ、３は出力段にて直流分を阻止するコンデンサ、４は出力および入力インピーダンスに相当する抵抗を持つインピーダンス整合用抵抗、５は外部機器を接続する入出力兼用端子である。６はコンデンサ３とインピーダンス整合用抵抗４の間に一端が接続され他端が接地された入力出力の切り替えに使用するスイッチ手段としての機能を持つトランジスタで、機器を制御しているマイクロコンピュータ（図示せず）から制御入力端子７に入出力機能の切り替えを行う制御信号が入力され、オン−オフ制御される。
【００１２】
また、前記入出力兼用端子５にはコンデンサ８を介して、入力バッファとしての機能を持つトランジスタ９が接続され、そしてそのトランジスタ９の出力に入力系信号処理回路１０が接続されている。
【００１３】
次に、この回路の動作について説明すると、この図１に示す回路を出力回路として使用する場合、制御入力端子７は０Ｖに設定する。この場合トランジスタ６はオフ状態になる。出力系信号処理回路１からの信号はエミッタフォロワのトランジスタ２にて低出力インピーダンスの信号になり、コンデンサ３とインピーダンス整合用抵抗４を経由して入出力兼用端子５より出力される。このとき入力系信号処理回路１０へ至る回路は入力インピーダンスが高いため、出力される信号には影響を与えない。
【００１４】
一方、入力回路として使用する場合、制御入力端子７は、例えば５Ｖに設定する。この場合、トランジスタ６はオン状態になる。また、このとき出力系信号処理回路１は内部で出力を停止した状態にしておく。トランジスタ６がオン状態になることにより、インピーダンス整合用抵抗４を介して入出力兼用端子５は終端されていることになり、また出力系信号処理回路１からの信号も遮断される。入出力兼用端子５から入力された信号はコンデンサ８を介して入力系信号処理回路１０に入力される。
【００１５】
このようにトランジスタ６のオン−オフを切り替えることにより１つの端子を入力と出力に切り替えて使用できる入出力回路を実現できる。
【００１６】
【発明の効果】
以上説明したように本発明によれば、１つの端子を入力と出力に切り替えて使用でき、かつ簡易な構成により安価に入出力回路を実現することができる。
【図面の簡単な説明】
【図１】本発明の一実施の形態における映像信号の入出力回路を示す回路図
【図２】従来の入出力回路を示す回路図
【符号の説明】
１　出力系信号処理回路
２，６，９　トランジスタ
３，８　コンデンサ
４　インピーダンス整合用抵抗
５　入出力兼用端子
７　制御入力端子
１０　入力系信号処理回路
【図１】
2004048431.tif 000003
【図２】
2004048431.tif 000004